(57)【要約】【課題】表示制御装置において、画像の閲覧性の低下を抑えつつ、閲覧中の画像に関連付けられた別の画像等の存在をより確実に示す。【解決手段】表示部１０１に表示する１つの情報表示モードが設定されている。システム制御部２１０は、その情報表示モードにおいて表示部１０１に表示された画像に関連付けられた動画が記憶媒体１３０に存在するか否かを判定し（Ｓ３０４）、関連ファイルがあると判定されたときに関連ファイルがあることを示すガイダンスを画像に重畳して表示部１０１に表示する（Ｓ３０５）。このとき、表示部１０１に表示する情報量の最も少ない非表示モードが情報表示モードとして設定されている場合、ガイダンスを表示してから所定時間の経過後に（Ｓ３１０）ガイダンスを非表示とする（Ｓ３１１）。【選択図】図３
2014017596.tif 000002
【特許請求の範囲】
【請求項１】
表示手段に表示された画像に関連付けられた関連ファイルが記憶手段に存在するか否かを判定する判定手段と、
前記表示手段に表示する情報量の異なる複数の情報表示モードの中から、前記表示手段に画像を表示する際の１つの情報表示モードを設定する設定手段と、
前記関連ファイルがあると前記判定手段が判定したときに、前記関連ファイルがあることを示すガイダンスを前記画像に重畳して前記表示手段に表示する表示制御手段と、を備え、
前記表示制御手段は、前記表示手段に表示する情報量の最も少ない非表示モードが前記１つの情報表示モードとして設定されている場合には、前記ガイダンスを表示してから所定時間の経過後に前記ガイダンスを非表示とすることを特徴とする表示制御装置。
【請求項２】
前記表示制御手段は、前記非表示モード以外の情報表示モードが設定されている場合には、前記所定時間の経過後も前記ガイダンスを表示した状態を維持することを特徴とする請求項１記載の表示制御装置。
【請求項３】
前記表示制御手段は、前記ガイダンスを非表示とした後に、前記設定手段によって前記非表示モード以から別の情報表示モードに設定が変更されると、前記ガイダンスを再表示することを特徴とする請求項１又は２に記載の表示制御装置。
【請求項４】
前記表示制御手段は、前記関連ファイルの存在する画像が前記表示手段に表示されているときに特定の操作が行われると、前記関連ファイルを再生することを特徴とする請求項１乃至３のいずれか１項に記載の表示制御装置。
【請求項５】
前記ガイダンスは、前記特定の操作を示すものであること特徴とする請求項４記載の表示制御装置。
【請求項６】
前記特定の操作は、操作部に対する１度の操作であることを特徴とする請求項４又は５に記載の表示制御装置。
【請求項７】
前記関連ファイルのない画像が前記表示手段に表示されている際に前記特定の操作があった場合に警告を通知する通知手段を更に有することを特徴とする請求項４乃至６のいずれか１項に記載の表示制御装置。
【請求項８】
前記表示制御手段は、前記表示手段に画像を表示する画像表示モードが、前記表示手段の表示領域全体に１枚の画像をその全体が収まる最大サイズで表示するシングル再生モード以外の画像表示モードから前記シングル再生モードに切り替えられた場合において、前記シングル再生モードで表示された画像に前記関連ファイルがあるときには、前記ガイダンスを表示することを特徴とする請求項１乃至７のいずれか１項に記載の表示制御装置。
【請求項９】
前記表示手段に表示された画像は静止画であって、
前記関連ファイルは、前記静止画の撮影に際して撮影された、前記静止画の撮影直前の所定時間分の動画を含む動画ファイルであることを特徴とする請求項１乃至８のいずれか１項に記載の表示制御装置。
【請求項１０】
前記関連ファイルは、前記表示手段に表示された画像に関連付けて記憶された音声ファイルであることを特徴とする請求項１乃至８のいずれか１項に記載の表示制御装置。
【請求項１１】
前記表示手段に表示された画像は、動画の撮影中に撮影された静止画であって、
前記関連ファイルは、前記動画を含む動画ファイルであることを特徴とする請求項１乃至８のいずれか１項に記載の表示制御装置。
【請求項１２】
前記情報表示モードが前記非表示モードであり、且つ、前記表示手段に前記ガイダンスが表示されている状態において所定の操作入力があったときには、前記表示制御手段は、前記所定時間が経過していなくとも、前記ガイダンスを非表示にすることを特徴とする請求項１乃至１１のいずれか１項に記載の表示制御装置。
【請求項１３】
前記判定手段により前記関連ファイルがあると判定された画像が前記表示手段に表示されている状態から、前記判定手段により前記関連ファイルがあると判定される別の画像に表示が切り替えられた場合、前記表示制御手段は、前記ガイダンスを表示しないことを特徴とする請求項１乃至１２のいずれか１項に記載の表示制御装置。
【請求項１４】
前記判定手段により前記関連ファイルがあると判定された画像が前記表示手段に表示されている状態から、前記判定手段により前記関連ファイルがないと判定される画像に表示を切り替えられた場合、前記表示制御手段は、前記関連ファイルがない旨を前記表示手段に表示することを特徴とする請求項１乃至１３のいずれか１項に記載の表示制御装置。
【請求項１５】
前記ガイダンスが表示された画像から他の画像に表示が切り替えられた後、再度、前記ガイダンスが表示された画像に表示が切り替えられた場合、前記表示制御手段は、前記再度の前記画像の表示の際には前記ガイダンスを表示しないことを特徴とする請求項１乃至１４のいずれか１項に記載の表示制御装置。
【請求項１６】
撮像手段と、
特定の撮影モードにおいて前記撮像手段により静止画を撮影するときには、前記静止画の撮影直前の所定時間分の動画を撮影し、前記動画を前記静止画に関連付け、且つ、前記動画が前記関連ファイルに含まれるように前記記憶手段に記憶する記憶制御手段と、を更に備えることを特徴とする請求項１乃至１５のいずれか１項に記載の表示制御装置。
【請求項１７】
外部の表示装置に対して画像データを出力する出力手段を更に備え、
前記表示制御手段は、前記出力手段により前記表示装置に画像データを出力する際には、前記判定手段の判定にかかわらず、前記ガイダンスが前記表示装置に表示されないように制御を行うことを特徴とする請求項１乃至１６のいずれか１項に記載の表示制御装置。
【請求項１８】
表示制御装置の表示制御方法であって、
判定手段が、表示手段に表示された画像に関連付けられた関連ファイルが記憶手段に存在するか否かを判定する判定ステップと、
設定手段が、前記表示手段に表示する情報量の異なる複数の情報表示モードの中から、前記表示手段に画像を表示する際の１つの情報表示モードを設定する設定ステップと、
表示制御手段が、前記判定ステップにて前記関連ファイルがあると判定されたときに、前記関連ファイルがあることを示すガイダンスを前記画像に重畳して前記表示手段に表示する表示ステップと、
前記表示制御手段が、前記表示手段に表示する情報量の最も少ない非表示モードが前記１つの情報表示モードとして設定されている場合には、前記ガイダンスを表示してから所定時間の経過後に前記ガイダンスを非表示とする非表示ステップと、を有することを特徴とする表示制御装置の表示制御方法。
【請求項１９】
請求項１８記載の表示制御装置の制御方法をコンピュータに実行させることを特徴とするプログラム。
【請求項２０】
請求項１８記載の表示制御装置の制御方法をコンピュータに実行させるプログラムを格納したことを特徴とするコンピュータが読み取り可能な記憶媒体。
【発明の詳細な説明】
【技術分野】
【０００１】
本発明は、記憶媒体に記憶された静止画或いは動画を表示制御装置に表示する技術に関する。
【背景技術】
【０００２】
動画撮影中に静止画を撮影する機能や、静止画の撮影に際してその直前の動画を自動記憶する機能を有する撮像装置が知られている。このようにして静止画と動画とが関連付けられて記憶された場合、静止画を再生表示した状態から、その静止画に関連付けられた動画を簡単に再生するための方法が検討されている。
【０００３】
例えば、閲覧中の静止画に関連付けられた動画（以下「関連動画」という）が記憶媒体に存在する場合に、静止画と共に関連動画の存在を示すアイコンを表示し、そのアイコンを選択することで関連動画を再生する技術が提案されている（特許文献１参照）。また、複数の画像を切り替えて表示する際に、切り替え前後で表示される画像の種別が異なると、つまり、動画か静止画かが異なると、切り替え後の画像の操作に関するガイダンスを表示する技術が提案されている（特許文献２参照）。この例では、切り替え前に静止画が表示されており、切り替え後に動画の代表画像が表示された場合には、動画の再生操作のためのガイダンスが所定時間の間だけ表示される例が提案されている。
【先行技術文献】
【特許文献】
【０００４】
【特許文献１】特開２０００−２２２４１７号公報
【特許文献２】特開２０１０−１８７２００号公報
【発明の概要】
【発明が解決しようとする課題】
【０００５】
特許文献１に記載された技術によれば、閲覧中の静止画について関連動画が存在する場合にはその存在を示すアイコンが表示されるため、関連動画の再生が容易になる。しかしながら、静止画を表示画面に大きく表示したい場合には、アイコンを表示画像に重畳表示しなければならなくなり、アイコンが静止画の閲覧の邪魔になることが懸念される。
【０００６】
一方、特許文献２に記載された技術のように、動画の再生操作のためのガイダンスを所定時間だけ表示した後に画面から消去する構成では、ユーザがガイダンスを必要としている状況であるにもかかわらず、動画の再生操作がわからなくなってしまうおそれがある。これでは、ユーザの利便性は低下してしまう。
【０００７】
本発明は、画像の閲覧性の低下を抑えつつ、閲覧中の画像に関連付けられた別の画像等の存在をより確実に示すことができる表示制御技術を提供することを目的とする。
【課題を解決するための手段】
【０００８】
本発明に係る表示制御装置は、表示手段に表示される画像に関連付けられた関連ファイルが記憶手段に存在するか否かを判定する判定手段と、前記表示手段に表示する情報量の異なる複数の情報表示モードの中から、前記表示手段に画像を表示する際の１つの情報表示モードを設定する設定手段と、前記関連ファイルがあると前記判定手段が判定したときに、前記関連ファイルがあることを示すガイダンスを前記画像に重畳して前記表示手段に表示する表示制御手段と、を備え、前記表示制御手段は、前記表示手段に表示する情報量の最も少ない非表示モードが前記１つの情報表示モードとして設定されている場合には、前記ガイダンスを表示してから所定時間の経過後に前記ガイダンスを非表示とすることを特徴とする。
【発明の効果】
【０００９】
本発明によれば、画像の閲覧性の低下を抑えつつ、閲覧中の画像に関連付けられた別の画像等の存在をより確実にユーザに示すことができる。
【図面の簡単な説明】
【００１０】
【図１】本発明の実施形態に係るデジタルカメラの外観を背面側から見て示す斜視図である。
【図２】図１のデジタルカメラのハードウェア構成を示すブロック図である。
【図３】図１のデジタルカメラでの表示制御のフローチャートである。
【図４】図１のデジタルカメラの表示部における画像表示例を示す図である。
【発明を実施するための形態】
【００１１】
以下、本発明の実施の形態について、添付図面を参照して説明する。ここでは、本発明に係る表示制御装置として、画像を表示可能な表示部を備えるデジタルカメラを取り上げることとするが、本発明はこれに限定されるものではない。
【００１２】
＜デジタルカメラの外観構成＞
図１は、本発明の実施形態に係るデジタルカメラ１００の外観を背面側から見て示す斜視図である。
【００１３】
デジタルカメラ１００の背面には、画像や各種情報を表示する表示部１０１が設けられている。また、デジタルカメラ１００の背面には、ユーザによる各種操作を受け付ける各種スイッチやボタン等の操作部材からなる操作部１０２と、撮影モード等を切り替えるモード切替スイッチ１０４と、回転操作可能なコントローラホイール１０３が設けられている。表示部１０１は、例えば、液晶ディスプレイ或いは有機ＥＬディスプレイ等であり、タッチパネルとして入力機能を備えることにより操作部として機能するものであってもよい。操作部１０２、コントローラホイール１０３及びモード切替スイッチ１０４の機能等の詳細については、図２を参照して後述する。
【００１４】
デジタルカメラ１００の上面には、撮影指示を行うシャッタボタン１２１と、デジタルカメラ１００の電源オン／電源オフを切り替える電源スイッチ１２２とが設けられている。シャッタボタン１２１の機能等の詳細については、図２を参照して後述する。
【００１５】
接続ケーブル１１１及びコネクタ１１２を介して、外部装置をデジタルカメラ１００の側面に接続することができるようになっており、デジタルカメラ１００は外部装置に画像データ（静止画データ、動画データ）を出力することができるようになっている。デジタルカメラ１００の下面には、蓋１３１により開閉可能な記憶媒体スロット（不図示）が設けられており、記憶媒体スロットには、メモリカード等の記憶媒体１３０を挿抜することができるようになっている。
【００１６】
記憶媒体スロットに格納された記憶媒体１３０は、デジタルカメラ１００の制御部（図２を参照して説明するシステム制御部２１０）と通信可能である。なお、記憶媒体１３０は、記憶媒体スロットに対して挿抜可能なメモリカード等に限定されるものではなく、ＤＶＤ−ＲＷディスク等の光学ディスクやハードディスク等の磁気ディスクであってもよく、更に、カメラ本体に内蔵されていてもよい。
【００１７】
＜デジタルカメラのハードウェア構成＞
図２は、デジタルカメラ１００のハードウェア構成を示すブロック図である。デジタルカメラ１００は、バリア２０１と、撮像光学系を構成する撮影レンズ２０２、シャッタ２０３及び撮像部２０４を備える。バリア２０１は、撮像光学系を覆うことにより、撮像光学系の汚れや破損を防止する。撮影レンズ２０２は、ズームレンズ、フォーカスレンズを含むレンズ群により構成される。シャッタ２０３は、絞り機能を備え、露光量を調節する。撮像部２０４は、光学像を電気信号（アナログ信号）に変換する撮像素子であり、例えば、ＣＣＤやＣＭＯＳ素子が用いられる。
【００１８】
デジタルカメラ１００では、撮像部２０４からＡ／Ｄ変換器２０５へアナログ信号が出力される。Ａ／Ｄ変換器２０５は、受信したアナログ信号をデジタル信号に変換して、画像処理部２０６又はメモリ制御部２０７へ出力する。画像処理部２０６は、Ａ／Ｄ変換器２０５から受信するデータ（デジタル信号）又はメモリ制御部２０７から受信するデータに対し、所定の画素補間や縮小等のリサイズ処理、色変換処理等を行う。また、画像処理部２０６では、撮像した画像の画像データを用いて所定の演算処理が行われ、こうして得られた演算結果を用いて、システム制御部２１０が露光制御や測距制御を行う。例えば、システム制御部２１０により、ＴＴＬ（スルー・ザ・レンズ）方式のＡＦ（オートフォーカス）処理、ＡＥ（自動露出）処理、ＥＦ（フラッシュプリ発光）処理が行われる。画像処理部２０６では更に、撮像した画像の画像データを用いて所定の演算処理が行われ、得られた演算結果に基づいて、システム制御部２１０は、ＴＴＬ方式のＡＷＢ（オートホワイトバランス）処理を行う。
【００１９】
Ａ／Ｄ変換器２０５からの出力データは、画像処理部２０６及びメモリ制御部２０７を介して、或いは、メモリ制御部２０７を介して、メモリ２０９に書き込まれる。メモリ２０９は、この他にも、表示部１０１に表示する画像データを格納する。メモリ２０９は、所定枚数の静止画像や所定時間の動画像、音声データを格納することができる十分な記憶容量を備えている。また、メモリ２０９は、画像表示用メモリ（ビデオメモリ）を兼ねている。
【００２０】
メモリ２０９に格納されている画像表示用データ（デジタルデータ）は、Ｄ／Ａ変換器２０８に送信される。Ｄ／Ａ変換器２０８は、受信したデジタルデータをアナログ信号に変換して表示部１０１に供給し、これにより、表示部１０１に画像が表示される。表示部１０１は、前述の通り、液晶ディスプレイ等の表示器であり、Ｄ／Ａ変換器２０８からのアナログ信号に基づいて画像を表示する。なお、Ａ／Ｄ変換器２０５によってデジタル信号に変換されてメモリ２０９に蓄積されるデジタル信号を、Ｄ／Ａ変換器２０８においてアナログ信号に変換して表示部１０１に逐次転送して表示することにより、電子ビューファインダ機能を実現することができる。即ち、こうして、スルー画像表示を行うことができるようになっている。
【００２１】
デジタルカメラ１００は、電気的に消去や記憶が可能なメモリである、例えば、ＥＥＰ−ＲＯＭ等の不揮発性メモリ２１１を備え、不揮発性メモリ２１１には、システム制御部２１０が実行するプログラムや動作用の定数等が記憶される。システム制御部２１０は、不揮発性メモリ２１１に記憶されている各種のプログラムを実行することで、デジタルカメラ１００の全体的な動作を制御し、その一例として、後述する図３に記載のフローチャートに係る処理を実行する。システム制御部２１０が不揮発性メモリ２１１から読み出したプログラムや動作用の定数、変数等は、システムメモリ２１３上に展開される。システムメモリ２１３には、ＲＡＭが用いられる。更に、システム制御部は、メモリ２０９やＤ／Ａ変換器２０８、表示部１０１等を制御することにより、表示制御を行う。
【００２２】
デジタルカメラ１００は、各種の制御に用いる時間や内蔵された時計の時間を計測するシステムタイマー２１２を備える。図２に示される操作部１０２、コントローラホイール１０３、シャッタボタン１２１、モード切替スイッチ１０４、電源スイッチ１２２は、図１を参照して説明したものと同じである。
【００２３】
操作部１０２を構成する各種の操作部材は、表示部１０１に表示される種々の機能アイコンの選択等に用いられ、所定の機能アイコンが選択されることにより、場面毎に、適宜、機能が割り当てられる。即ち、操作部１０２の各操作部材は、各種の機能ボタンとして作用する。機能ボタンとしては、例えば、終了ボタン、戻るボタン、画像送りボタン、ジャンプボタン、絞込みボタン、属性変更ボタン、ＤＩＳＰボタン等が挙げられる。例えば、メニューボタンが押下されると、各種の設定を行うためのメニュー画面が表示部１０１に表示される。ユーザは、表示部１０１に表示されたメニュー画面と、上下左右の４方向ボタンやＳＥＴボタンとを用いて、直感的に設定操作を行うことができる。
【００２４】
回転操作が可能な操作部材であるコントローラホイール１０３は、４方向ボタンと共に選択項目を指示するとき等に使用される。コントローラホイール１０３を回転操作すると、操作量（回転角度や回転回数等）に応じた電気的なパルス信号が発生する。システム制御部２１０は、このパルス信号を解析して、デジタルカメラ１００の各部を制御する。なお、コントローラホイール１０３は、回転操作が検出できる操作部材であればどのようなものでもよい。例えば、ユーザの回転操作に応じて部材自体が回転してパルス信号を発生するダイヤル操作部材であってもよい。また、タッチセンサよりなる操作部材で、操作部材自体は回転せず、操作部材上でのユーザの指の回転動作等を検出する、所謂、タッチホイールであってもよい。
【００２５】
シャッタボタン１２１は、第１スイッチＳＷ１と、第２スイッチＳＷ２とを有する。第１スイッチＳＷ１は、シャッタボタン１２１の操作途中の半押し状態でＯＮとなり、これにより、撮影準備を指示する信号がシステム制御部２１０に送信される。システム制御部２１０は、第１スイッチＳＷ１がＯＮになった信号を受信すると、ＡＦ処理、ＡＥ処理、ＡＷＢ処理、ＥＦ処理等の動作を開始する。第２スイッチＳＷ２は、シャッタボタン１２１の操作が完了する全押し状態でＯＮとなり、これにより、撮影開始を指示する信号がシステム制御部２１０に送信される。システム制御部２１０は、第２スイッチＳＷ２がＯＮになった信号を受信すると、撮像部２０４からの信号読み出しから記憶媒体１３０への画像データの書き込みまでの一連の撮影動作を行う。
【００２６】
モード切替スイッチ１０４は、デジタルカメラ１００の動作モードを、静止画記憶モード、動画記憶モード、再生モード等の各種モードの間で切り替えるためのスイッチである。静止画記憶モードには、例えば、オート撮影モード、オートシーン判定モード、マニュアルモード、撮影シーン別の撮影設定となる各種シーンモード、プログラムＡＥモード、カスタムモード等がある。モード切替スイッチ１０４の操作により、静止画撮影モードに含まれるこれらのモードのいずれかに、直接、切り替えることができるようになっている。但し、このような構成に限定されず、例えば、モード切替スイッチ１０４で静止画撮影モードに切り替えた後に、他の操作部材を用いて静止画撮影モードに含まれる前出のモードのいずれかに切り替えるようにしてもよい。同様に、動画撮影モードにも、複数のモードが含まれていてもよい。
【００２７】
デジタルカメラ１００は、電源部２１４と、電源制御部２１５を備える。電源部２１４は、アルカリ電池やリチウム電池等の一次電池、ＮｉＣｄ電池やＮｉＭＨ電池、Ｌｉ電池等の二次電池、或いは、ＡＣアダプター等であり、電源制御部２１５へ電力を供給する。電源制御部２１５は、電池検出回路やＤＣ−ＤＣコンバータ、通電ブロックを切り替えるスイッチ回路等により構成されている。電源制御部２１５は、電源部２１４における電池の装着の有無、電池の種類、電池残量等を検出し、その検出結果及びシステム制御部２１０の指示に基づいてＤＣ−ＤＣコンバータを制御し、必要な電圧を必要な期間、記憶媒体１３０を含む各部へ供給する。
【００２８】
デジタルカメラ１００は、記憶媒体１３０が記憶媒体スロット（不図示）に装着された際に、記憶媒体１３０とシステム制御部２１０との間の通信を可能にするための記憶媒体Ｉ／Ｆ２１６を備える。記憶媒体１３０の詳細については、図１を参照して既に説明しているため、ここでの説明を省略する。
【００２９】
＜ムービーダイジェストモード＞
デジタルカメラ１００では、ムービーダイジェストモードでの撮影が可能となっている。なお、ムービーダイジェストモードでは、例えば、日毎等の所定期間内に撮影された１枚又は複数の静止画について、各静止画の撮影直前の所定時間分の動画（以下「ダイジェスト動画」という）が撮影される。そして、各ダイジェスト動画が連結された動画ファイルは各静止画と関連付けて記憶される。したがって、ムービーダイジェストモードでは、１つの動画ファイルに対して１以上の静止画が関連付けられる。
【００３０】
また、ムービーダイジェストモードでは、所定期間内に最初に静止画が撮影された際にダイジェスト動画の動画ファイルが生成され、その後、ファイル名は変更されずに、静止画の撮影の度に、動画ファイルにダイジェスト動画が追記されていく。なお、ダイジェスト動画の動画ファイルは、ファイル容量或いは動画全体の時間が１つのダイジェスト動画の容量又は時間として予め定められた値を超えない限り、追記される。そのため、基本的には、所定期間に１つの動画ファイルのみが記憶される。このような撮影制御及び記憶制御は、システム制御部２１０によって実行される。
【００３１】
モード切替スイッチ１０４の操作により、デジタルカメラ１００の動作モードをムービーダイジェストモードに設定することができる。システム制御部２１０は、ムービーダイジェストモードで第１スイッチＳＷ１のＯＮ信号を受信すると、動画撮影処理を開始し、撮影により得られた動画をメモリ２０９に記憶させるようにメモリ制御部２０７を制御する。メモリ２０９に記憶させるダイジェスト動画の最長時間は、例えば、４秒等の所定時間に設定されている。そのため、システム制御部２１０は、メモリ２０９に記憶させるダイジェスト動画の時間が最長時間を超える場合は、超える時間分だけ、撮影された時刻が古いフレームから順に削除するように、メモリ制御部２０７を制御する。
【００３２】
システム制御部２１０は、撮影指示である第２スイッチＳＷ２のＯＮ信号を受信すると、メモリ２０９への動画の書き込みを停止させ、メモリ２０９に記憶されている動画を記憶媒体１３０にダイジェスト動画として記憶させる。このとき、記憶媒体１３０に既に同じ所定期間に記憶されたダイジェスト動画の動画ファイルが存在するか否かにより、システム制御部２１０は、記憶媒体Ｉ／Ｆ２１６を介した記憶媒体１３０へのダイジェスト動画の記憶方法を異ならせる。
【００３３】
即ち、同じ所定期間に記憶されたダイジェスト動画の動画ファイルが存在しない場合、システム制御部２１０は、新たに撮影されたダイジェスト動画を新規ファイルとして記憶媒体１３０に記憶させる。このとき、閲覧時の再生順を示す画像ＩＤが割り当てられるが、ダイジェスト動画の新規ファイルには、第２スイッチＳＷ２のＯＮ信号により撮影された静止画ファイルよりも小さい番号が付与されるものとする。また、システム制御部２１０は、同じ所定期間に記憶されたダイジェスト動画の動画ファイルが存在する場合、新たに記憶するダイジェスト動画を、既に存在するダイジェスト動画の動画ファイルの続きとして、連結して記憶する。
【００３４】
つまり、ムービーダイジェストモードで静止画が複数回撮影される場合、先ず、最初の静止画の撮影前の所定時間分のダイジェスト動画が記憶媒体１３０に記憶され、次に、このダイジェスト動画と関連付けられた静止画が記憶される。２回目以降の静止画撮影については、その静止画の撮影前の所定時間分のダイジェスト動画は、先に記憶された動画ファイルに追記される。そのため、記憶媒体１３０において管理されるファイルの順番は、動画ファイルを先頭として、その後にこの動画ファイルと関連付けられた１つ以上の静止画が画像ファイルとして記憶されることになる。
【００３５】
なお、記憶媒体１３０に記憶されるダイジェスト動画の動画ファイルでは、ヘッダ部或いは動画ファイルと関連付けられたサムネイル画像ファイル等に、その動画ファイルがダイジェスト動画の動画ファイルであることを示す属性情報が付与されるものとする。また、動画ファイルに含まれる動画部分を記憶するトリガーとなった撮影に係る静止画の画像ファイルを示す識別子や、各静止画に対応する動画の部分を示す情報（例えば、タイムコードやチャプター番号、静止画の識別子の対応等）が記憶媒体１３０に記憶される。
【００３６】
一方、ムービーダイジェストモードで撮影された静止画の画像ファイルは、ムービーダイジェストモードで撮影されたことを示す識別子が付されて、記憶媒体１３０に記憶される。また、ムービーダイジェストモードで撮影された静止画の画像ファイルは、その静止画の撮影によって記憶されたダイジェスト動画部分を有する動画ファイルを示す識別子（ファイル名やファイル番号、ユニークＩＤ等）が関連付けられて、記憶される。これらの情報は、例えば、静止画の画像ファイルのヘッダ部に記憶される。更に、ムービーダイジェストモードで撮影された静止画に関連付けられた動画ファイルの動画のうち、その静止画の撮影によって記憶されたダイジェスト動画部分を示す情報（タイムコードやチャプタ番号等）も記憶される。
【００３７】
＜表示制御＞
図３は、デジタルカメラ１００での表示制御のフローチャートである。このフローチャートは、ムービーダイジェストモードで撮影された静止画をシングル再生モードで閲覧する際に、静止画に関連付けられて記憶されたダイジェスト動画を再生する方法を示すガイダンスを表示部１０１に表示する際の処理の流れを示している。シングル再生モードとは、表示部１０１の表示領域全体に、１枚の画像をその全体が収まる最大サイズで表示（全画面表示）する画像表示モードを指す。
【００３８】
図３に示す各ステップの処理は、システム制御部２１０が、不揮発性メモリ２１１に格納されたプログラムをシステムメモリ２１３に展開し、実行することにより実現される。
【００３９】
デジタルカメラ１００においてシングル再生モードが設定されると、システム制御部２１０は、記憶媒体１３０から初期表示画像を読み出し、表示部１０１の表示領域全体に全画面表示を行う。なお、初期表示画像としては、例えば、前回のシングル再生モードでの再生の際に最後に表示された画像、或いは時間的に直近に撮影された画像が表示される。図４（ａ）は、表示部１０１に初期表示画像が表示された状態の一例を示している。なお、図４（ａ）は、デジタルカメラ１００における情報表示モードが、情報表示を行わない（つまり、表示部１０１に表示する情報量の最も少ない）“非表示モード”となっている場合の表示例である。
【００４０】
シングル再生モードでの画像再生が開始されると、システム制御部２１０は、ユーザからの操作入力を監視し、操作入力に応じた処理を実行する。なお、図３に示されるステップＳ３０１，Ｓ３０８，Ｓ３１０，Ｓ３１２，Ｓ３１４の判定は、この順序に限定して実行されているものではなく、並列的に同時に実行されている。
【００４１】
システム制御部２１０は、画像送りの指示（例えば、操作部１０２に含まれる十字ボタンの右ボタン或いは左ボタンの押下）があったか否かを判定する（ステップＳ３０１）。システム制御部２１０は、画像送りが指示されたと判定した場合（Ｓ３０１でＹＥＳ）、処理をステップＳ３０２に進め、そうでない場合（Ｓ３０１でＮＯ）、処理をステップＳ３０８に進める。
【００４２】
ステップＳ３０２において、システム制御部２１０は、画像送り処理を実行する。即ち、ステップＳ３０１での操作内容に応じた次或いは前の画像が記憶媒体１３０から読み出され、現在表示されている画像に代えて、読み出された画像が表示部１０１に表示される。その際、後述するステップＳ３０７で起動されたタイマーのカウント中であれば、カウントを中止して、タイマーをクリア（初期化）する。
【００４３】
ステップＳ３０２の後、システム制御部２１０は、ステップＳ３０２で表示した画像が、ムービーダイジェストモードで撮影された静止画であるか否かを、画像のヘッダ情報から判定する（ステップＳ３０３）。システム制御部２１０は、ムービーダイジェストモードで撮影された静止画であると判定した場合（Ｓ３０３でＹＥＳ）、処理をステップＳ３０４へ進め、そうでない場合（Ｓ３０３でＮＯ）、処理をステップＳ３０１に戻す。
【００４４】
ステップＳ３０４において、システム制御部２１０は、表示している画像に関連付けられたダイジェスト動画（以下「関連動画」という）が記憶媒体１３０にあるか否かを判定する。この処理は、表示している画像の画像ファイルのヘッダ情報を参照することにより実行可能である。或いは、事前にダイジェスト動画のヘッダを全て解析し、ダイジェスト動画に関連する静止画の画像ファイルの識別子を書き出したインデックス情報を事前に用意しておいて、表示した画像ファイルがインデックス情報に合致するか否かで判定してもよい。システム制御部２１０は、関連動画があると判定した場合（Ｓ３０４でＹＥＳ）、処理をステップＳ３０５に進め、そうでない場合（Ｓ３０４でＮＯ）、処理をステップＳ３０１に戻す。
【００４５】
ステップＳ３０５において、システム制御部２１０は、関連動画を再生するための操作を案内するガイダンスを表示部１０１に表示する。図４（ｂ）は、ステップＳ３０５において表示部１０１に表示される画面の一例を示す図である。図４（ｂ）では、ステップＳ３０２での画像送り処理によって、図４（ａ）とは異なる画像が表示されている。また、図４（ｂ）の画面には、関連動画が記憶媒体１３０に存在し、操作部１０２に含まれるＳＥＴボタンを１回押下するという特定の操作を行うことにより関連動画が再生可能であることを示すガイダンス４０１が、画像に対して画面左上に重畳表示されている。
【００４６】
ステップＳ３０５の後、システム制御部２１０は、現在の情報表示モードが非表示モードであるか否かを判定する（ステップＳ３０６）。システム制御部２１０は、現在の情報表示モードが非表示モードである場合（Ｓ３０６でＹＥＳ）、処理をステップＳ３０７に進め、そうでない場合（Ｓ３０６でＮＯ）、処理をステップＳ３０１に戻す。ステップＳ３０７において、システム制御部２１０は、ガイダンス４０１を非表示にするまでの時間を計測するタイマーを起動させる。なお、ガイダンス４０１を非表示にするまでの時間のデフォルト値は、デジタルカメラ１００の製造時に予め設定されているが、操作部１０２の操作によって変更することも可能となっている。ステップＳ３０７の後、システム制御部２１０は、処理をステップＳ３０１に戻す。
【００４７】
ここで、前述の通り、ステップＳ３０１，Ｓ３０８，Ｓ３１０，Ｓ３１２，Ｓ３１４の判定は並列的に同時に実行されている。そのため、システム制御部２１０は、ステップＳ３０７で起動したタイマーが終了（タイムアップ）したか否かを判定する（テップＳ３１０）。システム制御部２１０は、タイマーが終了した場合（Ｓ３１０でＹＥＳ）、ガイダンス４０１を画面から消去する（ステップＳ３１１）。図４（ｃ）は、ステップＳ３１１において表示部１０１に表示される画面の一例を示す図であり、ガイダンス４０１が非表示となって、画像のみが表示された状態を示している。ステップＳ３１１の後、システム制御部２１０は、処理をステップＳ３０１に戻す。
【００４８】
なお、タイマーはステップＳ３０６において、情報表示モードが“非表示モード”であると判定された場合のみ起動する。したがって、情報表示モードが非表示モード以外のモードである場合には、ガイダンス４０１は、時間が経っても画面から消去されることなく、表示された状態が維持される。
【００４９】
ステップＳ３０８では、システム制御部２１０は、情報表示モードを切り換える入力（例えば、操作部１０２に含まれるＤＩＳＰボタンの押下）があったか否かを判定する。例えば、ＤＩＳＰボタンが押下される度に、情報表示モードは、“非表示モード”、“簡易情報表示モード”、“詳細情報表示モード”、“非表示モード”の順で順次切り替えられる。なお、表示部１０１に表示される情報量は、非表示モード＜簡易情報表示モード＜詳細情報表示モード、の順となる。
【００５０】
情報表示モードの切り替えがない場合（Ｓ３０８でＮＯ）、システム制御部２１０は、処理をステップＳ３１０に進める。一方、情報表示モードの切り替えがあった場合（Ｓ３０８でＹＥＳ）、システム制御部２１０は、操作に応じた情報表示モードの切り替えを行い（ステップＳ３０９）、その後、処理をステップＳ３０３に進める。なお、システム制御部２１０は、ステップＳ３０８の処理によってタイマーが起動してカウント中であるときにステップＳ３０９の処理を実行する場合、タイマーをストップして、クリア（初期化）する。
【００５１】
図４（ｄ）は、“簡易情報表示モード”が設定された場合に、表示部１０１に表示される画面の一例を示す図であり、画像に重畳して、ファイル番号４０２、画像サイズと圧縮率を示す画質情報４０３、撮影日時情報４０４等が表示されている。図４（ｅ）は、“詳細情報表示モード”が設定された場合に、表示部１０１に表示される画面の一例を示す図である。“詳細情報表示モード”では、画像に重畳して、“簡易情報表示モード”で表示される情報に加えて、ヒストグラム４０５、シャッタースピード／ＩＳＯ感度／絞り値（Ｆ値）／ホワイトバランス等の詳細情報４０６等が表示される。“簡易情報表示モード”と“詳細情報表示モード”のいずれの場合も、表示されている画像の関連動画がある場合にはガイダンス４０１も表示されるが、表示されている画像の関連動画がない場合には、ガイダンス４０１は表示されない。
【００５２】
ステップＳ３０９の処理後、システム制御部２１０は、処理をステップＳ３０３に進める。したがって、情報表示モードの切り替え前にはガイダンス４０１が表示されていない場合でも、情報表示モードが切り替えられると、切り替え後の情報表示モードに関係なく、関連動画がある場合には、そのことを示すガイダンス４０１が表示されることとなる。そして、“非表示モード”に設定された場合には、ガイダンス４０１は、所定時間だけ表示された後に、非表示となる。
【００５３】
ステップＳ３１０において、システム制御部２１０は、ステップＳ３０８で起動したタイマーが、設定されている所定時間をカウントしたか否かを判定する。所定時間が経過していない場合（Ｓ３１０でＮＯ）、システム制御部２１０は、処理をステップＳ３１２に進める。一方、所定時間が経過した場合（Ｓ３１０でＹＥＳ）、システム制御部２１０は、図４（ｃ）のようにガイダンス４０１を画面から消去して画像のみの表示とし、その後、処理をステップＳ３０１に戻す。
【００５４】
したがって、ステップＳ３０９において情報表示モードが切り換えられた際にはガイダンス４０１が表示されるが、情報表示モードが非表示モードの場合には、タイマーのカウントによる一定時間の経過後にガイダンス４０１は非表示とされる。逆に、ステップＳ３０９において情報表示モードが非表示モード以外のモードに切り替えられた場合には、タイマーのカウントによる一定時間が経過しても、自動的にガイダンス４０１が非表示とされることはない。なお、ガイダンス４０１が表示されてから一定時間が経過する前であっても、特定の操作が行われた際には所定時間の経過を待たずして、ガイダンス４０１を非表示にする構成としてもよい。
【００５５】
ステップＳ３１２において、システム制御部２１０は、関連動画の再生指示があったか否かを判定する。つまり、関連動画が存在する画像が表示されている際にＳＥＴボタンが押下されたか否かが判定される。なお、関連動画が存在する画像が表示されている場合、ガイダンス４０１の消去後であっても、ＳＥＴボタンが押下されたならば、関連動画の再生指示があったものとする。システム制御部２１０は、関連動画の再生指示があった場合（Ｓ３１２でＹＥＳ）、処理をステップＳ３１３に進め、そうでない場合（Ｓ３１２でＮＯ）、処理をステップＳ３１４に進める。
【００５６】
システム制御部２１０は、ステップＳ３１３において静止画の関連動画を記憶媒体１３０から読み出し、関連動画を再生し（ステップＳ３１３）、その後、処理をステップＳ３０１に戻す。このとき、関連動画がない静止画を表示している状態で関連動画の再生指示がなされた場合には、何も処理を行わない構成としてもよいし、関連動画がない旨を示す警告メッセージを表示する等、警告を通知する構成としてもよい。
【００５７】
ステップＳ３１４において、システム制御部２１０は、その他の入力操作（Ｓ３０１，Ｓ３０８，Ｓ３１２以外の入力操作）があったか否かを判定する。その他の入力操作としては、表示している静止画を拡大する拡大再生モードへの遷移や複数画像を表示するマルチ再生への遷移、メニュー画面の表示や再生モードの終了等を指示する入力操作が挙げられる。システム制御部２１０は、その他の入力操作がない場合（Ｓ３１４でＮＯ）、処理をステップＳ３０１に戻し、その他の入力操作があった場合（Ｓ３１４でＹＥＳ）、その入力操作が指示する処理を実行する（ステップＳ３１５）。システム制御部２１０は、その後、処理をステップＳ３０１に戻す。
【００５８】
なお、上記説明から明らかなように、関連動画のある静止画が表示されている状態で、ＳＥＴボタンが２回押下されると、システム制御部２１０は、２回目の押下を関連動画の再生指示と判定せず、別の処理を指示するものと判定することになる。そのため、関連動画の再生指示は、ＳＥＴボタンの１度の操作により行う必要がある。また、シングル再生モード以外のモードから、再度、シングル再生モードが設定された場合には、画像を表示し直すために画像送り処理を実行する必要があるため、ステップＳ３０２以降の処理を行い、ガイダンス４０１が表示されることになる。
【００５９】
＜表示制御の変形例＞
上記実施形態では、画像送り処理の実行をトリガーとして、表示する静止画についての関連動画の有無を判定し、関連動画の再生方法を示すガイダンスを表示する構成について説明した。その場合、記憶媒体１３０に記憶されている静止画がムービーダイジェストモードで撮影された静止画ばかりであると、画像送りの度に同じ情報を示すガイダンスが表示されることになるため、画像の閲覧性の低下させるおそれがある。そこで、以下の構成とすることにより、画像閲覧性の低下を軽減する。
【００６０】
即ち、画像送り前の静止画が、ムービーダイジェストモードで撮影され、且つ、関連動画があるために、ガイダンス４０１が表示されている場合に、画像送り後の静止画も同様にガイダンス４０１を表示する条件である場合には、画像送り処理時にガイダンス４０１を表示しない構成とする。但し、この場合、画像送りが実行された際にガイダンス４０１が表示されない理由が、関連動画があるためなのかそれともないためなのかがユーザにはわかり難い。そこで、画像送り前の静止画がムービーダイジェストモードで撮影され、且つ、関連動画があると判定されてガイダンス４０１を表示していた場合に、画像送り後の静止画には関連動画がないときは、関連動画がない旨を示すガイダンスを表示する構成とする。また、ガイダンス４０１が表示された静止画が画像送り／戻しされて再表示された場合（その画像からの画像送りによって他の画像が表示された後に、画像戻しによって、再度、その画像が表示された場合等）には、ガイダンス４０１を表示しない構成としてもよい。
【００６１】
上記の実施形態では、デジタルカメラ１００の表示部１０１に映像（画像、動画）を出力し、表示した。これに対して、デジタルカメラ１００からコネクタ１１２及び接続ケーブル１１１を介して外部の表示装置に映像を出力し、表示させることも考えられ、この場合には、ユーザは、より高い閲覧性を求めているものと考えられる。そこで、この場合には、ダイジェスト動画が関連付けられているか否かにかかわらず、また、どの情報表示モードが設定されているかにかかわらず、画像送りに応じてガイダンス４０１を表示させない構成とすることができる。このような制御は、システム制御部２１０が担う構成としてもよいし、別途、表示装置への出力制御手段を設けて実行されるようにしてもよい。
【００６２】
また、上記の実施形態では、ムービーダイジェストモードで撮影された静止画の関連動画を、所定の静止画に対して関連付けられた関連ファイルの例として説明した。これに限定されず、表示された画像に関連付けられた音声ファイル（音声メモ等）がある場合には、その関連付けられた音声ファイルを上記の実施形態での関連動画と同様に扱って処理するようにしてもよい。また、表示された画像が、動画撮影中に行った静止画撮影指示によって撮影された静止画（動画中静止画）である場合には、その静止画の撮影時に撮影されていた動画を、上記の関連動画と同様に扱って処理するようにしてもよい。
【００６３】
＜その他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。例えば、上記実施形態では、表示制御装置としてデジタルカメラを取り上げたが、これに限定されることなく、記憶媒体に記憶された静止画や動画を再生表示するディスプレイを備える装置に対して、本発明を適用することができる。例えば、本発明は、パーソナルコンピュータやＰＤＡ、携帯電話端末や携帯型の画像ビューワ、デジタルフォトフレーム、ゲーム機、電子ブックリーダー等に適用することができる。
【００６４】
また、本発明は以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００６５】
１０１    表示部
１０２    操作部
１０３    コントローラホイール
１３０    記憶媒体
２１０    システム制御部
２１３    システムタイマー
【図１】
2014017596.tif 000003
【図２】
2014017596.tif 000004
【図３】
2014017596.tif 000005
【図４】
2014017596.tif 000006